(57)【要約】【課題】青紫色レーザダイオードを含む複数のレーザダイオードを備え、低温において動作可能な光ディスク装置、光ピックアップ、及びプログラムを提供する。【解決手段】光ディスク装置は、低温において発振不可能な第１のレーザダイオード１１と当該低温において発振可能な第２のレーザダイオード１２とを有する光ピックアップ１０と、光ピックアップ１０を制御する制御部とを備える。光ピックアップ１０は、第２のレーザダイオード１２が発振している場合に、発振による熱を第１のレーザダイオード１１に伝導させて加熱する熱伝導部材１３をさらに有する。制御部は、低温において、第２のレーザダイオード１２に発振させ、熱伝導部材１３に第１のレーザダイオード１１を加熱させ、第１のレーザダイオード１１をレーザ発振可能にする。【選択図】図２
2009170028.tif 000002
【特許請求の範囲】
【請求項１】
第１のレーザダイオードと第２のレーザダイオードとを有する光ピックアップと、当該光ピックアップを制御する制御部と、を備える光ディスク装置であって、
前記光ピックアップは、
前記第２のレーザダイオードがレーザを発振している場合に、レーザの発振による熱を第１のレーザダイオードに伝導させて加熱する熱伝導手段をさらに有し、
前記制御部は、
前記第１のレーザダイオードがレーザを発振不可能且つ前記第２のレーザダイオードがレーザを発振可能な低温において、
前記第２のレーザダイオードにレーザを発振させ、前記熱伝導手段に前記第１のレーザダイオードを加熱させ、前記第１のレーザダイオードをレーザ発振可能にする、
ことを特徴とする光ディスク装置。
【請求項２】
前記第１のレーザダイオードの温度を検出する温度検出部をさらに備え、
前記制御部は、
前記温度検出部が検出した温度が前記低温である場合に、前記第２のレーザダイオードにレーザを発振させて前記第１のレーザダイオードをレーザ発振可能にする、
ことを特徴とする請求項１に記載の光ディスク装置。
【請求項３】
前記第２のレーザダイオードのレーザの発振により前記温度検出部が検出した温度が前記低温でなくなった場合には、前記第２のレーザダイオードによるレーザの発振を中止する、
ことを特徴とする請求項２に記載の光ディスク装置。
【請求項４】
前記制御部は、
前記低温において、前記第２のレーザダイオードにレーザを発振させ、前記熱伝導手段に前記第１のレーザダイオードを加熱させ、前記第１のレーザダイオードがレーザ発振可能になった場合には、前記第２のレーザダイオードによるレーザの発振を中止する、
ことを特徴とする請求項１乃至３の何れか１項に記載の光ディスク装置。
【請求項５】
第１のレーザと第２のレーザとを発振する多波長レーザダイオードを有する光ピックアップと、当該光ピックアップを制御する制御部とを備える光ディスク装置であって、
前記制御部は、
前記多波長レーザダイオードが前記第１のレーザを発振不可能且つ前記第２のレーザを発振可能な低温において、
前記多波長レーザダイオードに第２のレーザを発振させ、レーザの発振による熱によって前記多波長レーザダイオードを加熱し、前記第１のレーザを発振可能にする、
ことを特徴とする光ディスク装置。
【請求項６】
第１のレーザダイオードと第２のレーザダイオードとを備える光ピックアップであって、
前記第１のレーザダイオードがレーザを発振不可能且つ前記第２のレーザダイオードがレーザを発振可能な低温において前記第２のレーザダイオードがレーザを発振している場合に、レーザの発振による熱を前記第２のレーザダイオードに伝導させ、加熱して、前記第１のレーザダイオードをレーザ発振可能にする熱伝導手段を備える、
ことを特徴とする光ピックアップ。
【請求項７】
第１のレーザダイオードと、第２のレーザダイオードと、前記第２のレーザダイオードがレーザを発振している場合にレーザの発振による熱を第１のレーザダイオードに伝導させて加熱する熱伝導手段と、を有する光ピックアップを備える光ディスク装置に含まれるコンピュータを、
前記第１のレーザダイオードがレーザを発振不可能且つ前記第２のレーザダイオードがレーザを発振可能な低温において、前記第２のレーザダイオードにレーザを発振させ、前記熱伝導手段に前記第１のレーザダイオードを加熱させ、前記第１のレーザダイオードをレーザ発振可能にする発振可能化手段、
として機能させることを特徴とするプログラム。
【請求項８】
第１のレーザと第２のレーザとを発振する多波長レーザダイオードを有する光ピックアップを備える光ディスク装置に含まれるコンピュータを、
前記多波長レーザダイオードが前記第１のレーザを発振不可能且つ前記第２のレーザを発振可能な低温において、前記多波長レーザダイオードに第２のレーザを発振させ、レーザの発振による熱によって前記多波長レーザダイオードを加熱し、前記第１のレーザを発振可能にする発振可能化手段、
として機能させることを特徴とするプログラム。
【発明の詳細な説明】
【技術分野】
【０００１】
本発明は、波長の異なる数種のレーザ光を光ディスク媒体に照射する光ディスク装置、光ピックアップ、及びプログラムに関する。
【背景技術】
【０００２】
現在、ＢＤ（Blu-ray）規格又はＨＤ−ＤＶＤ（High Definition-Digital Versatile Disc）規格とＤＶＤ（Digital Versatile Disc）規格とＣＤ（Compact Disc）規格との何れの光ディスク媒体にも対応できる光ディスク装置が製品化されている。この光ディスク装置の光ピックアップは、内部に青紫色レーザ光（ＢＤ又はＨＤ−ＤＶＤ用；４０５ｎｍ）を発振するレーザダイオードと、赤色レーザ光（ＤＶＤ用；６６０〜６９０ｎｍ）を発振するレーザダイオードと、近赤外レーザ光（ＣＤ用；７８０ｎｍ）を発振するダイオードとを備える（例えば、特許文献１参照）。
【特許文献１】特開２００６−２５２６１２号公報
【発明の開示】
【発明が解決しようとする課題】
【０００３】
しかし、特許文献１の光ピックアップにおける青紫色レーザダイオードは、例えば、０℃以下の低温ではレーザを発振不可能であり、そのような状態下において青紫レーザダイオードを使用した再生・記録を行うことができなかった。
本発明は、上記問題点に鑑みてなされたもので、青紫色レーザダイオードを含む複数のレーザダイオードを備え、低温において動作可能な光ディスク装置、光ピックアップ、及びプログラムを提供することを目的とする。
【課題を解決するための手段】
【０００４】
上記目的を達成するために、本発明の第１の観点に係る光ディスク装置は、
第１のレーザダイオードと第２のレーザダイオードとを有する光ピックアップと、当該光ピックアップを制御する制御部と、を備える光ディスク装置であって、
前記光ピックアップは、
前記第２のレーザダイオードがレーザを発振している場合に、レーザの発振による熱を第１のレーザダイオードに伝導させて加熱する熱伝導手段をさらに有し、
前記制御部は、
前記第１のレーザダイオードがレーザを発振不可能且つ前記第２のレーザダイオードがレーザを発振可能な低温において、
前記第２のレーザダイオードにレーザを発振させ、前記熱伝導手段に前記第１のレーザダイオードを加熱させ、前記第１のレーザダイオードをレーザ発振可能にする、
ことを特徴とする。
【０００５】
例えば、前記第１のレーザダイオードの温度を検出する温度検出部をさらに備え、
前記制御部は、
前記温度検出部が検出した温度が前記低温である場合に、前記第２のレーザダイオードにレーザを発振させて前記第１のレーザダイオードをレーザ発振可能にする、
ことを特徴とする。
【０００６】
例えば、前記第２のレーザダイオードのレーザの発振により前記温度検出部が検出した温度が前記低温でなくなった場合には、前記第２のレーザダイオードによるレーザの発振を中止してもよい。
【０００７】
例えば、前記制御部は、
前記低温において、前記第２のレーザダイオードにレーザを発振させ、前記熱伝導手段に前記第１のレーザダイオードを加熱させ、前記第１のレーザダイオードがレーザ発振可能になった場合には、前記第２のレーザダイオードによるレーザの発振を中止してもよい。
【０００８】
本発明の第２の観点に係る光ディスク装置は、
第１のレーザと第２のレーザとを発振する多波長レーザダイオードを有する光ピックアップと、当該光ピックアップを制御する制御部とを備える光ディスク装置であって、
前記制御部は、
前記多波長レーザダイオードが前記第１のレーザを発振不可能且つ前記第２のレーザを発振可能な低温において、
前記多波長レーザダイオードに第２のレーザを発振させ、レーザの発振による熱によって前記多波長レーザダイオードを加熱し、前記第１のレーザを発振可能にする、
ことを特徴とする。
【０００９】
本発明の第３の観点に係る光ピックアップは、
第１のレーザダイオードと第２のレーザダイオードとを備える光ピックアップであって、
前記第１のレーザダイオードがレーザを発振不可能且つ前記第２のレーザダイオードがレーザを発振可能な低温において前記第２のレーザダイオードがレーザを発振している場合に、レーザの発振による熱を前記第２のレーザダイオードに伝導させ、加熱して、前記第１のレーザダイオードをレーザ発振可能にする熱伝導手段を備える、
ことを特徴とする。
【００１０】
本発明の第４の観点に係るプログラムは、
第１のレーザダイオードと、第２のレーザダイオードと、前記第２のレーザダイオードがレーザを発振している場合にレーザの発振による熱を第１のレーザダイオードに伝導させて加熱する熱伝導手段と、を有する光ピックアップを備える光ディスク装置に含まれるコンピュータを、
前記第１のレーザダイオードがレーザを発振不可能且つ前記第２のレーザダイオードがレーザを発振可能な低温において、前記第２のレーザダイオードにレーザを発振させ、前記熱伝導手段に前記第１のレーザダイオードを加熱させ、前記第１のレーザダイオードをレーザ発振可能にする発振可能化手段、
として機能させることを特徴とする。
【００１１】
本発明の第５の観点に係るプログラムは、
第１のレーザと第２のレーザとを発振する多波長レーザダイオードを有する光ピックアップを備える光ディスク装置に含まれるコンピュータを、
前記多波長レーザダイオードが前記第１のレーザを発振不可能且つ前記第２のレーザを発振可能な低温において、前記多波長レーザダイオードに第２のレーザを発振させ、レーザの発振による熱によって前記多波長レーザダイオードを加熱し、前記第１のレーザを発振可能にする発振可能化手段、
として機能させることを特徴とする。
【発明の効果】
【００１２】
本発明によれば、青紫色レーザダイオードを含む複数のレーザダイオードを備える光ディスク装置又は光ピックアップを低温において動作させることができる。
【発明を実施するための最良の形態】
【００１３】
（第１の実施形態）
以下、本発明の第１の実施形態に係る光ディスク装置１００について説明する。光ディスク装置１００は、光ディスク媒体２００を装填し、記録されているデータを読み出して再生する。また、任意のデータを光ディスク媒体２００に書き込んで記録する。
【００１４】
光ディスク装置１００は、図１に示すように、光ピックアップ１０と、ＲＦ回路２０と、信号処理回路３０と、デジタルサーボプロセッサ４０（以下、ＤＳＰ４０）と、レーザドライバ５０と、アクチュエータドライバ６０と、センサ駆動回路７０と、スピンドルモータドライバ８０と、スピンドルモータ８５と、制御部９０とを備える。ただし、レーザ光を制御するためのＡＰＣ（Automatic Power Control）回路や光ピックアップ１０を光ディスク媒体２００の半径方向に移動させるためのステッピングモータ等は、簡略化のため省略されている。
【００１５】
光ピックアップ１０は、青紫色レーザ光、又は、赤色レーザ光若しくは近赤外光レーザを光ディスク媒体２００に照射して、その反射信号を電気信号に変換し、ＲＦ回路２０に供給する。光ピックアップ１０は、図２に示すように、第１のレーザダイオード１１と、第２のレーザダイオード１２と、熱伝導部材１３と、温度センサ１４と、光学系１５と、対物レンズ１６と、フォトダイオード１７と、アクチュエータ１８とを備える。
【００１６】
第１のレーザダイオード１１は、レーザドライバ５０から電力の供給を受けて青紫色レーザ光を照射する。なお、第１のレーザダイオード１１は、例えば、０〜＋６０℃で青紫色レーザ光を発振することが可能である。
【００１７】
第２のレーザダイオード１２は、レーザドライバ５０から電力の供給を受けて赤色レーザ光又は近赤外光レーザを照射する。なお、第２のレーザダイオード１２は、例えば、−１０〜＋７５℃で赤色レーザ光又は近赤外光レーザを発振することが可能であり、第１のレーザダイオードが発振不可能な−１０〜０℃の低温域でも発振することが可能である。
【００１８】
熱伝導部材１３は、熱を伝導し易い素材から構成され、第１のレーザダイオード１１と第２のレーザダイオード１２とに接続される。熱伝導部材１３は、第２のレーザダイオード１２がレーザを発振することにより生じる熱を第１のレーザダイオードに伝導させて加熱する。
【００１９】
温度センサ１４は、第１のレーザダイオード１１に取り付けられ、第１のダイオード１１の温度を検出し、検出した温度に応じた起電力をセンサ駆動回路７０に供給する。
【００２０】
光学系１５は、第１のレーザダイオード１１又は第２のレーザダイオード１２からのレーザ光を、対物レンズ１６を介して光ディスク媒体２００に導いて照射し、その反射光を、対物レンズ１６を介してフォトダイオード１７に導いて受光させる。
【００２１】
対物レンズ１６は、光学系１５からのレーザ光を光ディスク媒体２００の記録面に集光させ、その反射光を光学系１５に供給する。また、対物レンズ１６は、アクチュエータ１８によってフォーカス方向とトラック方向とに駆動して、レーザ光の焦点位置を調整する。
【００２２】
フォトダイオード１７は、光ディスク媒体２００からの反射光を光学系１５より受光し、光電変換により電気信号に変換してＲＦ回路２０に供給する。
【００２３】
アクチュエータ１８は、アクチュエータドライバ６０から電力を供給され、対物レンズ１６をフォーカス方向とトラック方向とに駆動させる。
【００２４】
ＲＦ回路２０は、光ピックアップ１０のフォトダイオード１７から供給された電気信号を処理し、ＦＥ（Focus Error）信号、ＴＥ（Tracking Error）信号、及びＲＦ信号等を生成し、信号処理回路３０及びＤＳＰ４０に供給する。
【００２５】
信号処理回路３０は、ＲＦ回路２０より供給されたＲＦ信号をデコードし、光ディスク媒体２００に記録されているデジタル信号を制御部９０に供給する。
また、信号処理回路３０は、再生のときなどに、レーザダイオード制御信号をレーザドライバ５０に供給し、一定の出力で第１のレーザダイオード１１又は第２のレーザダイオード１２に青紫色レーザ光又は赤色レーザ光若しくは近赤外レーザ光を発振させる。記録の時には、レーザダイオード制御信号をレーザドライバ５０に供給し、光ディスク媒体２００にデータを書き込むために必要な出力で第１のレーザダイオード１１又は第２のレーザダイオード１２に青紫色レーザ光又は赤色レーザ光若しくは近赤外レーザ光を発振させる。
【００２６】
デジタルサーボプロセッサ４０は、ＲＦ回路２０より供給されたＦＥ信号とＴＥ信号とに位相補償を施し、光ピックアップ１０から照射されるレーザ光の焦点位置を制御するアクチュエータ制御信号を生成し、アクチュエータドドライバ６０に供給する。そして、レーザの焦点を光ディスク媒体２００の記録面上に維持し（フォーカシング）、光ディスク媒体２００のトラックに追従させる（トラッキング）。つまり、ＤＳＰ４０は、フォーカシングとトラッキングに関するサーボ制御を行う。
また、ＤＳＰ４０は、ＲＦ回路２０より供給されたＲＦ信号に含まれる同期信号を抽出し、抽出した同期信号と制御部９０により定められた基準信号との位相差に応じたスピンドルモータ制御信号を生成し、スピンドルモータドライバ８０に供給する。
【００２７】
レーザドライバ５０は、第１のレーザダイオード１１又は第２のレーザダイオード１２を駆動させるために、信号処理回路３０より供給されたレーザダイオード制御信号に応じた電力を第１のレーザダイオード１１又は第２のレーザダイオード１２に供給する。
【００２８】
アクチュエータドライバ６０は、アクチュエータ１８を駆動させるために、ＤＳＰ４０より供給されたアクチュエータ制御信号に応じた電力をアクチュエータ１８に供給する。
【００２９】
センサ駆動回路７０は、温度センサ１４より供給された起電力に基づいて、温度センサ１４の位置における温度（第１のレーザダイオード１１の温度）を計測する。
【００３０】
スピンドルモータドライバ８０は、スピンドルモータ８５を駆動させるために、ＤＳＰ４０より供給されたスピンドルモータ制御信号に応じた電力をスピンドルモータ８５に供給する。
【００３１】
スピンドルモータ８５は、スピンドルモータドライバ８０より供給された電力により駆動し、光ディスク媒体２００を回転駆動させる。
【００３２】
制御部９０は、ＣＰＵ（Central Processing Unit）やＲＯＭ（Read Only Memory）やＲＡＭ（Random Access Memory）等から構成され、光ディスク装置１００全体を制御する。制御部９０は、直接的には、信号処理回路３０とＤＳＰ４０とを制御する。
具体的には、制御部９０は、信号処理回路３０とＤＳＰ４０とを制御して、光ディスク媒体２００のデータを読み取って再生する。また、制御部９０は、信号処理回路３０とＤＳＰ４０とを制御して光ディスク媒体２００に任意のデータを書き込んで記録する。
また、制御部９０は、第１のレーザダイオード１１が青紫色レーザ光を発振できない、所定の閾値（本実施形態においては０℃）以下の低温において、第１のレーザダイオード１１を加熱するために第２のレーザダイオード１２に赤色レーザ光又は近赤外レーザ光を発振させる。
【００３３】
以下、上記構成の光ディスク装置１００の動作を説明する。
【００３４】
光ディスク装置１００は、第１のレーザダイオード１１を発振する場合において、温度が所定の閾値以下のときは、第２のレーザダイオード１２を発振させることによって、第１のレーザダイオード１１を加熱して発振可能にする。
また、光ディスク装置１００は、第１のレーザダイオード１１が青紫色レーザ光を発振している場合において、温度が所定の閾値以下になったときは、第２のレーザダイオード１２に赤色レーザ光又は近赤外レーザ光を発振させることによって、第１のレーザダイオード１１を加熱して発振可能な状態を維持する。
【００３５】
次に、本発明の第１の実施形態に係る光ディスク装置１００が行うダイオード出力制御処理１を、図３のフローチャートを参照して詳細に説明する。
【００３６】
格納する動作プログラムにより、又はユーザにより第１のレーザダイオード１１に青紫色レーザ光を発振させる旨の指示を受けた場合には、制御部９０は、信号処理回路３０を制御して、第１のレーザダイオード１１に青紫色レーザ光を発振させるように処理を行う（ステップＳ１０１）。
【００３７】
次に、制御部９０は、第１のレーザダイオード１１が青紫色レーザ光を発振しているか否かを判別する（ステップＳ１０２）。
【００３８】
第１のレーザダイオード１１が青紫色レーザ光を発振していると判別すると（Ｓ１０２；ＹＥＳ）、制御部９０は、処理を終了させる。
【００３９】
第１のレーザダイオード１１が青紫色レーザ光を発振していないと判別すると（Ｓ１０２；ＮＯ）、制御部９０は、ＤＳＰ４０がフォーカスとトラックとの少なくとも一つのサーボ制御を行っているか否かを判別する（ステップＳ１０３）。
【００４０】
ＤＳＰ４０がサーボ制御を行っていると判別すると（Ｓ１０３；ＹＥＳ）、制御部９０は、処理を終了させる。
【００４１】
ＤＳＰ４０がサーボ制御を行っていないと判別すると（Ｓ１０３；ＮＯ）、制御部９０は、温度センサ１４が検出した温度が所定の閾値（本実施形態では、０℃）以上であるか否かを判別する（ステップＳ１０４）。
【００４２】
温度センサ１４が検出した温度が所定の閾値以上であると判別すると（Ｓ１０４；ＹＥＳ）、制御部９０は、処理を終了させる。
【００４３】
温度センサ１４が検出した温度が所定の閾値未満であると判別すると（Ｓ１０４；ＮＯ）、制御部９０は、第２のレーザダイオード１２の出力設定を行う（ステップＳ１０５）。
【００４４】
次に、制御部９０は、ステップＳ１０５で設定した出力で第２のレーザダイオード１２に赤色レーザ光又は近赤外レーザ光を発振開始させる（ステップＳ１０６）。
【００４５】
制御部９０は、光ディスク媒体２００の読み込み要求があったか否かを判別する（ステップＳ１０７）。
【００４６】
光ディスク媒体２００の読み込み要求があったと判別すると（Ｓ１０７；ＹＥＳ）、制御部９０は、信号処理回路３０を制御して、第２のレーザダイオード１１による赤色レーザ光又は近赤外レーザ光の発振を停止し（ステップＳ１１０）、処理を終了させる。
【００４７】
光ディスク媒体２００の読み込み要求が無かったと判別すると（Ｓ１０７；ＮＯ）、制御部９０は、信号処理回路３０を制御して、第１のレーザダイオード１１に青紫色レーザ光を発振させるように処理を行う（ステップＳ１０８）。
【００４８】
次に、制御部９０は、第１のレーザダイオード１１が青紫色レーザ光を発振しているか否かを判別する（ステップＳ１０９）。
【００４９】
第１のレーザダイオード１１が青紫色レーザ光を発振していないと判別すると（Ｓ１０９；ＮＯ）、制御部９０は、処理をステップＳ１０７に戻す。
【００５０】
第１のレーザダイオード１１が青紫色レーザ光を発振していると判別すると（Ｓ１０９；ＹＥＳ）、制御部９０は、信号処理回路３０を制御して、第２のレーザダイオード１１による赤色レーザ光又は近赤外レーザ光の発振を停止し（ステップＳ１１０）、処理を終了させる。
【００５１】
このようにして、ダイオード出力制御処理１によれば、光ディスク装置１００は、青紫色レーザ光を発振する際に、低温のために発振不可能である場合に、赤色レーザ光又は近赤外レーザ光を発振させて、青紫色レーザ光を発振するダイオードを加熱して発振可能にすることができる。
【００５２】
次に、本発明の第１の実施形態に係る光ディスク装置１００が行うダイオード出力制御処理２を、図４のフローチャートを参照して詳細に説明する。
ダイオード出力制御処理２では、光ディスク装置１００は、第１のレーザダイオード１１が青紫色レーザ光を発振しているときに、その温度が所定の閾値以下になった場合に、第２のレーザダイオード１２に赤色レーザ光又は近赤外レーザ光を発振させて、第１のレーザダイオード１１が青紫色レーザ光を発振可能な状態を維持する。
なお、ダイオード出力制御処理２は、定期的な割り込み処理で行われる。
【００５３】
先ず、制御部９０は、ＤＳＰ４０がフォーカスとトラックとの少なくとも一つのサーボ制御を行っているか否かを判別する（ステップＳ２０１）。
【００５４】
ＤＳＰ４０がサーボ制御を行っていると判別すると（Ｓ２０１；ＹＥＳ）、制御部９０は、処理を終了させる。
【００５５】
ＤＳＰ４０がサーボ制御を行っていないと判別すると（Ｓ２０１；ＮＯ）、制御部９０は、温度センサ１４が検出した温度が所定の閾値（本実施形態では、０℃）以上であるか否かを判別する（ステップＳ２０２）。
【００５６】
温度センサ１４が検出した温度が所定の閾値以上であると判別すると（Ｓ２０２；ＹＥＳ）、制御部９０は、処理を終了させる。
【００５７】
温度センサ１４が検出した温度が所定の閾値未満であると判別すると（Ｓ２０２；ＮＯ）、制御部９０は、第１のレーザダイオード１１が青紫色レーザ光を発振しているか否かを判別する（ステップＳ２０３）。
【００５８】
第１のレーザダイオード１１が青紫色レーザ光を発振していると判別すると（Ｓ２０３；ＹＥＳ）、制御部９０は、処理を終了させる。
【００５９】
第１のレーザダイオード１１が青紫色レーザ光を発振していないと判別すると（Ｓ２０３；ＮＯ）、制御部９０は、第２のレーザダイオード１２の出力設定を行う（ステップＳ２０４）。
【００６０】
次に、制御部９０は、ステップＳ２０４で設定した出力で第２のレーザダイオード１２に赤色レーザ光又は近赤外レーザ光を発振開始させる（ステップＳ２０５）。
【００６１】
制御部９０は、光ディスク媒体２００の読み込み要求又は光ディスク媒体２００の挿入があったか否かを判別する（ステップＳ２０６）。
【００６２】
光ディスク媒体２００の読み込み要求又は光ディスク媒体２００の挿入があったと判別すると（Ｓ２０６；ＹＥＳ）、制御部９０は、信号処理回路３０を制御して、第２のレーザダイオード１１による赤色レーザ光又は近赤外レーザ光の発振を停止し（ステップＳ２０８）、処理を終了させる。
【００６３】
光ディスク媒体２００の読み込み要求又は光ディスク媒体２００の挿入が無かったと判別すると（Ｓ２０６；ＮＯ）、制御部９０は、温度センサ１４が検出した温度が所定の閾値（本実施形態では、０℃）以上であるか否かを判別する（ステップＳ２０７）。
【００６４】
温度センサ１４が検出した温度が所定の閾値未満であると判別すると（Ｓ２０７；ＹＥＳ）、制御部９０は、処理をステップＳ２０６に戻す。
【００６５】
温度センサ１４が検出した温度が所定の閾値以上であると判別すると（Ｓ２０７；ＮＯ）、制御部９０は、信号処理回路３０を制御して、第２のレーザダイオード１１による赤色レーザ光又は近赤外レーザ光の発振を停止し（ステップＳ２０８）、処理を終了させる。
【００６６】
このようにして、ダイオード出力制御処理２によれば、光ディスク装置１００は、青紫色レーザ光を発振しているときに、温度が下がった場合に、赤色レーザ光又は近赤外レーザ光を発振させて、青紫色レーザ光を発振するダイオードを加熱して発振可能な状態を維持することができる。
【００６７】
（第２の実施形態）
第１の実施形態において、光ピックアップ１０は、二つのレーザダイオードを備え、片方のレーザダイオードに赤色レーザ光又は近赤外レーザ光を発振させることによって、もう片方のレーザダイオードに青紫色レーザ光を発振させることを可能にした。しかし、第２の実施形態においては、光ピックアップは、青紫色レーザ光又は赤色レーザ光若しくは近赤外レーザ光を発振可能な多波長レーザダイオードを備えるようにして、多波長レーザダイオードに赤色レーザ光又は近赤外レーザ光を発振させることによって、青紫色レーザ光を発振させることを可能にしてもよい。
【００６８】
第２の実施形態に係る光ディスク装置１００が備える光ピックアップ１０’は、図５に示すように、第１と第２のレーザダイオード１１，１２の代わりに多波長レーザダイオード１９を備える。
【００６９】
多波長レーザダイオード１９は、レーザドライバ５０から電力の供給を受けて青紫色レーザ光又は赤色レーザ光若しくは近赤外光レーザを照射する。なお、多波長レーザダイオード１９は、例えば、０〜＋６０℃で青紫色レーザ光を発振することが可能であり、例えば、−１０〜＋７５℃で赤色レーザ光又は近赤外光レーザを発振することが可能である。
【００７０】
第２の実施形態に係るその他の光ディスク装置の構成は、第１の実施形態と同様である。
【００７１】
また、第２の実施形態における処理も、第２の実施形態と同様である。
ただし、第１の実施形態の処理において、「第１のレーザダイオード１１に青紫色レーザ光を発振」は、第２の実施形態の処理において、「多波長レーザダイオード１９に青紫色レーザ光を発振」と読み替える。
第１の実施形態の処理において、「第１のレーザダイオード１１が青紫色レーザ光を発振」は、第２の実施形態において、「多波長レーザダイオード１９が青紫色レーザ光を発振」と読み替える。
第１の実施形態において、「第２のレーザダイオード１２に赤色レーザ光又は近赤外レーザ光を発振」は、第２の実施形態の処理において、「多波長レーザダイオード１９に赤色レーザ光又は近赤外レーザ光を発振」と読み替える。
第１の実施形態の処理において、「第２のレーザダイオード１２が赤色レーザ光又は近赤外レーザ光を発振」は、第２の実施形態において、「多波長レーザダイオード１９が赤色レーザ光又は近赤外レーザ光を発振」と読み替える。
【００７２】
このようにして、第２の実施形態に係る光ディスク装置１００は、多波長レーザダイオード１９に赤色レーザ光又は近赤外レーザ光を発振させることによって、青紫色レーザ光を発振させることができる。
【００７３】
なお、本発明は上記実施形態に限定されず、種々の応用及び変形が可能である。
【００７４】
例えば、図６に示すように、光ピックアップ１０’の多波長レーザダイオード１９は、青紫色レーザ光と赤色レーザ光と近赤外レーザ光とを発振可能であってもよい。
また、図６に示すように、光ピックアップは、青紫色レーザ光と赤色レーザ光とを発振可能な多波長レーザダイオードと、近赤外レーザ光を発振可能なレーザダイオードと、その二つのダイオードの熱をそれぞれに伝導させる熱伝導部材とを備えるようにしてもよい。
また、図６に示すように、光ピックアップは、青紫色レーザ光を発振可能なレーザダイオードと、赤色レーザ光と近赤外レーザ光とを発振可能な多波長レーザダイオードと、その二つのダイオードの熱をそれぞれに伝導させる熱伝導部材とを備えるようにしてもよい。
また、図６に示すように、光ピックアップは、青紫色レーザ光を発振可能なレーザダイオードと、赤色レーザ光を発振可能なレーザダイオードと、近赤外レーザ光を発振可能なレーザダイオードと、その三つのダイオードの熱をそれぞれに伝導させる熱伝導部材とを備えるようにしてもよい。
何れの場合も、赤色レーザ光又は近赤外レーザ光を発振することによって、青紫色レーザ光を発振可能にする。
また、図３のダイオード出力制御処理１において、第１のレーザダイオード１１が発振するか否かとサーボのオン・オフと第１のレーザダイオード１１の温度が所定の閾値以上であるか否かとを判別してから第２のレーザダイオード１２の出力を開始した。しかし、第１のレーザダイオード１１が発振しない場合に、低温のために発振しないと判別して第２のレーザダイオード１２の出力を開始するようにしてもよい。
【００７５】
また、その他、具体的な細部構成等についても適宜変更可能である。
【図面の簡単な説明】
【００７６】
【図１】本発明の第１と第２の実施形態に係る光ディスク装置の構成図である。
【図２】第１の実施形態に係る光ピックアップの構成図である。
【図３】ダイオード出力制御処理１を説明するためのフローチャートである。
【図４】ダイオード出力制御処理２を説明するためのフローチャートである。
【図５】第２の実施形態に係る光ピックアップの構成図である。
【図６】光ピックアップが備えるレーザダイオードの構成例を示すための図である。
【符号の説明】
【００７７】
１０      光ピックアップ
１０’    光ピックアップ
１１      第１のレーザダイオード
１２      第２のレーザダイオード
１３      熱伝導部材
１４      温度センサ
１５      光学系
１６      対物レンズ
１７      フォトダイオード
１８      アクチュエータ
１９      多波長レーザダイオード
２０      ＲＦ回路
３０      信号処理回路
４０      デジタルサーボプロセッサ
５０      レーザドライバ
６０      アクチュエータドライバ
７０      センサ駆動回路
８０      スピンドルモータドライバ
８５      スピンドルモータ
９０      制御部
１００    光ディスク装置
２００    光ディスク媒体
【図１】
2009170028.tif 000003
【図２】
2009170028.tif 000004
【図３】
2009170028.tif 000005
【図４】
2009170028.tif 000006
【図５】
2009170028.tif 000007
【図６】
2009170028.tif 000008